(57)【要約】  炭酸飲料を収容する２リットルボトルのためのねじ蓋クロージャは、まわりに弾性リングを伴う従来の硬質プラスチック主要部材よりなる。リングは、クロージャがボトルの首部にきつく締まることを可能にするための握持を付与する。
2008526640.tif 000002
【特許請求の範囲】
【請求項１】
硬質プラスチック材料で形成された主要部分および、主要部分に装着されそこから突出する弾性部材より構成され、それによりボトルをクロージャで再び密閉しようとしている人が、弾性部材を嵌めて、クロージャがボトルを密封するのに必要なトルクをクロージャに与えるために十分な握持を得ることができるようになる、ねじ蓋クロージャ。
【請求項２】
弾性部材は前記硬質プラスチック部材よりも軟質な材料よりなる、請求項１に記載のクロージャ。
【請求項３】
弾性部材は感触がゴム状である材料よりなる、請求項１または２に記載のクロージャ部材。
【請求項４】
弾性部材は主要部分とは別個に形成され主要部分に固定される、請求項１、２または３に記載のクロージャ。
【請求項５】
弾性部材は、引き伸ばされることによって主要部分の外面に適用され、解放された時にその弾性のために主要部分に確実に握着するリングの形態である、請求項４に記載のクロージャ。
【請求項６】
弾性部材は主要部分の外面に適用され得るリングの形態であり、接着剤がリングと前記外面との間に付与される、請求項４または５に記載のクロージャ。
【請求項７】
弾性部材の外面は握り具合を向上させるための突起を備えている、上記請求項のうちのいずれか１項に記載のクロージャ。
【請求項８】
突起はディンプルの形態である、請求項７に記載のクロージャ。
【請求項９】
ディンプルは形状が概ね円錐である、請求項８に記載のクロージャ。
【請求項１０】
突起は、隆起して細長い、好ましくは軸方向に延びる、平行四辺形または長方形よりなる、請求項７に記載のクロージャ。
【請求項１１】
突起は前記外面のまわりを取り巻く螺旋状フィンによって形成される、請求項７に記載のクロージャ。
【請求項１２】
請求項１乃至１１のいずれかに実質的に記載され、添付図面１乃至５または８に実質的に図示された部分を有するねじ蓋クロージャ。
【請求項１３】
請求項１乃至１１のいずれかに実質的に記載され、添付図面６もしくは７または９および１０に実質的に図示された部分を有するねじ蓋クロージャ。
【発明の詳細な説明】
【技術分野】
【０００１】
この発明は、ねじ蓋クロージャに関する。
【０００２】
本発明は、飲物、特に炭酸飲料用の容器（以下「ボトル」と呼ぶ）、詳細には大量（例えば１および２リットル）の炭酸飲料を収容するボトルでの使用に意図されたねじ蓋クロージャに関する。
【背景技術】
【０００３】
現在、炭酸飲料用の従来の２リットルボトルは、その外面にねじを有する注ぎ口首部が形成されたプラスチック成形品である。ボトルは、硬質プラスチック材料で作られ、（ｉ）使用時にボトルの首部のねじと係合するねじ部材がその内側にある円筒形本体、および（ｉｉ）ボトルを密閉するためにボトルの首部の端部を封止する端面を備える着脱可能なねじ蓋クロージャが設けられている。円筒形本体は通常、直径が約３．０から３．５センチメートルである。実際には、ボトルを再び密閉しようと試みる際に十分なトルクをそれに与えるために本体の外部表面で十分な握持を得ることはしばしば難しい。これによりボトルの密閉度が低下し、炭酸飲料は極めて急速に気が抜ける。従って、再密閉されたボトルに保存された飲物は風味が劣化し、そのようなボトルの飲物は購買意欲を減退させる。
【発明の開示】
【発明が解決しようとする課題】
【０００４】
ボトルにクロージャ部材を再び付けようとしている人の指と表面の間で生じる摩擦を増大させる試みとして、本体の外部表面には、軸方向に拡張する微細な三角形断面の溝が刻まれるか、または設けられてきた。表面のそのような形状は問題の助けとなるが、ほとんどの大人がボトルに十分な密閉性をもたらすために必要な握持を得ることは依然として極めて難しい。
【課題を解決するための手段】
【０００５】
本発明の一態様によれば、硬質プラスチック材料で形成された主要部分および、主要部分に装着されそこから突出する弾性部材より構成され、それによりボトルをクロージャで再び密閉しようとしている人が弾性部材を嵌めて、クロージャとボトルを密封させるのに必要なトルクをクロージャに与えるために十分な握持を得ることができるようになる、ねじ蓋クロージャが提供される。弾性部材は好ましくは、ゴムまたはゴム状材料よりなる。
【０００６】
弾性部材は主要部分と一体に成形されることが可能である。好ましくは、それは主要部分から隆起するために主要部分におけるわずかな周辺凹部に成形される。代替として、それは主要部分の内側に成形され、主要部分の本体を通り突出するディンプルといった突起を有してもよい。
【０００７】
しかし、弾性部材は、主要部分とは別個に形成されることができ、リングの形態であってもよく、それは引き伸ばされることによって主要部分の外面に適用され解放された時にその弾性のために主要部分に確実に握着する。しかし、あるいはそれに加えて、部材は、例えば接着剤によって本体に固定されてもよい。
【０００８】
弾性部材の外面は単純な構造にすることができる。代替として、握り具合を向上させるために突起を設けてもよい。これらの突起は、ディンプルまたは、好ましくは軸方向に延びる隆起した細長い平行四辺形または長方形の形態であってもよい。代替として、突起は、部材の外部表面のまわりに螺旋状に配されたフィンで構成されてもよい。これらのフィンの端部はかなり軟質であって、大人が指で握った時に圧縮し得ることが望ましい。
【発明を実施するための最良の形態】
【０００９】
ここで本発明の実施形態を図面を参照し、例証として説明する。
【００１０】
図１乃至５には、炭酸飲料用の２リットル成形プラスチックボトル１４の首部１２に適用されたねじ蓋クロージャ１０が図示されている。
【００１１】
クロージャ１０は、ナイロンといった硬質プラスチック材料で形成された主要部分１６を備える。主要部分１６は、閉じた円盤状端部２０を有する円筒形本体１８から構成される。本体２０の外部表面２２は、幅の狭い三角形断面の縦方向に延びる溝が刻まれている。本体１８の内側は、使用中にボトル１４の首部１２に形成されたねじ２６と係合するように構成されたねじ部材２４（図５にのみ図示）を備えている。主要部分１６は、上述した通り従来のねじ蓋クロージャと同一である。
【００１２】
本発明のクロージャ１０は、さらに握持リング２８を備える。リング２８は環状断面のものである。それはナイロンよりも軟質な弾性プラスチック材料より形成される。弾性材料は、感触がゴム状であるのが望ましい。その表面は、リング２８を嵌める人の指の間に良好な摩擦を生じるものである。ほぼアーチ形の凸状外面３２を有する縦方向に延びる矩形の突起３０が、リング２８の外部表面に設けられている。リング２８の直径は、静止時に内部表面が主要部分１６の本体１８と締り嵌めになるようなものである。
【００１３】
リング２８は、主要部分１６に適用される時に、本体１８に嵌着するために引き伸ばされる。リングはその後、解放され収縮して本体１８にきつく握着する。リング２８は、本体１８に確実に保持され、それに対して回転できない。クロージャ１０が握持されてそれがボトル１４の首部１２に締め付けられる時に、弾性材料は普通の大人の指によって圧縮されて十分な握持をもたらし、指がリング２８に及びリング２８を介して主要部分１６に十分なトルクを与えることを可能にし、それにより後者がボトル１４にきつくねじ込まれてボトル１４を密閉することができるようになる。さらに、弾性材料と指との間の摩擦、そして突起の形態もまた、この目的に資する。
【００１４】
本発明の修正されたリング３４の外部表面３６は、図６に示す通り、単純な構成であってもよい。この表面は円筒形またはわずかに凸面であってもよい。
【００１５】
図７に示された本発明の別の修正されたリング３８は、その表面のまわりに延びている一連の部分螺旋状フィン４０を有する。フィン４０は、三角形断面のものであり、極めて幅が狭い。それらは、それぞれの底部の幅の３または４倍の距離だけ離れている。指で握持された時に、フィン４０の端部は弾性的につぶれて指に優れた握持を与える。フィン４０は解放後元の状態に跳ね戻る。
【００１６】
図８に示されたさらに別の修正されたリング４２は、半球状ディンプル４４の形態の一連の突起を有する。
【００１７】
図９および１０に示されたさらに別の修正されたリング４６は、円錐４８の形態の一連の突起を有する。円錐４８の上端５０は、摩擦を改善するために（図１０に最善に示される通り）側方に傾けられている。
【００１８】
必要に応じて、弾性材料は主要部分に成形することができる。図５に示された通り、リング３４の弾性材料は、ボトル本体の開口（図示せず）を貫通している。材料は、端部２０の内側を覆い、ボトルの端部でのクロージャのより良好なシールとして機能する。
【００１９】
発明者は、弾性材料が、クロージャの本体で十分な握持を得てねじ蓋クロージャに十分なトルクを与え、炭酸飲料を収容する従来の２リットルボトルを十分に好適に再密閉して、飲物が本来供給された時とほとんど同じ程度にガスを含んだままにすることを可能にすることを発見した。
【００２０】
上述の装置は、ボトルを開け閉めする時に常に利用できる弾性握持装置であって、これにより、通常ボトルから離れて保管され、クロージャを開け、とりわけクロージャをボトルに締める時にしばしば見つけるのが不便であった別個の装置を不要とする。
【００２１】
本発明は、以上に説明され図面に例示された詳細な構成に限定されるものではない。接着剤がリングと主要部分の本体との間に挿入されてもよい。
【００２２】
クロージャは、非炭酸飲料またはあらゆる他の物質、特に空気がその中に混入した場合に劣化する物質を収容する他のボトル、チューブまたは容器で使用される適切な大きさのものであるとしてよい。クロージャはまた、物質が容器の首部のまわりに移った場合に、クロージャがそれにきつく付着して開けることを難しくする原因となる物質を収容するボトル、チューブまたは容器（ジャム瓶を含む）で使用することもできる。そのような品目の典型的なものは、ノンガス液体を収容するボトル、広口瓶の蓋、マニキュア液瓶および、美術油用チューブといった種々のチューブ、テープ、接着剤チューブなどである。
【００２３】
クロージャはまた、クリームなどといった非流体物質を収容するチューブに使用することができる。
【００２４】
主要部分の表面の一部はわずかに凹面にしてもよく、弾性材料はその部分が凹部の内に含まれるようにその上に成形される。
【００２５】
フィンは、リングの軸と平行であるかまたはそれと径方向である面にあってもよい。
【図面の簡単な説明】
【００２６】
【図１】炭酸飲料用の２リットル成形プラスチックボトルの首部に適用された本発明のねじ蓋クロージャの側面図である。
【図２】クロージャの平面図である。
【図３】クロージャを分離した態様で図示している。
【図４】握持部材の断面図であり、断面は図２の線４−４で得ている。
【図５】図１の線５−５での部分断面における図１に類似の図である。
【図６】主要部分へ適用する他のリングを図示している。
【図７】主要部分へ適用する他のリングを図示している。
【図８】主要部分へ適用する他のリングを図示している。
【図９】主要部分へ適用する他のリングを図示している。
【図１０】図９のリングの詳細平面図である。
【符号の説明】
【００２７】
１０  ねじ蓋クロージャ
１２  首部
１４  ボトル
１８  円筒形本体
２０  端部
２４  ねじ部材
２６  ねじ
２８  リング
３０  突起
【図１】
2008526640.tif 000003
【図２】
2008526640.tif 000004
【図３】
2008526640.tif 000005
【図４】
2008526640.tif 000006
【図５】
2008526640.tif 000007
【図６】
2008526640.tif 000008
【図７】
2008526640.tif 000009
【図８】
2008526640.tif 000010
【図９】
2008526640.tif 000011
【国際調査報告】
2008526640.tif 000012
2008526640.tif 000013